(57)【要約】【課題】レンズ鏡筒の低コスト化、小型化等を図る。【解決手段】光軸方向において複数のレンズを保持する鏡筒本体１０、鏡筒本体に保持されたレンズを押えるレンズ押え部材２０，２０´を備え、鏡筒本体１０は、光軸方向Ｌに貫通する第１内周面１１、第１内周面よりも大きい内径をなし光軸方向Ｌの前端面１４に開口する第２内周面１２を含み、レンズ押え部材は、第２内周面１２よりも径方向内側又は第２内周面１２よりも径方向外側の領域において、第２内周面１２に少なくとも一部が嵌入された第１レンズ３０，３０´の前面Ｓ１を押圧するべく鏡筒本体１０に結合される環状キャップ２０，２０´として形成されている。これによれば、種々の広角レンズを保持する鏡筒本体として一つの鏡筒本体を共用できるため、コストを低減でき、又、鏡筒本体の光軸方向における短縮化、小径化、レンズ鏡筒の小型化を達成できる。【選択図】図１
2007279557.tif 000002
【特許請求の範囲】
【請求項１】
光軸方向において複数のレンズを保持する鏡筒本体、前記鏡筒本体に保持されたレンズを押えるレンズ押え部材と、を備えたレンズ鏡筒であって、
前記鏡筒本体は、光軸方向に貫通する第１内周面と、前記第１内周面よりも大きい内径をなし光軸方向の前端面に開口する第２内周面と、を含み、
前記レンズ押え部材は、前記第２内周面よりも径方向内側又は前記第２内周面よりも径方向外側の領域において、前記第２内周面に少なくとも一部が嵌入された第１レンズの前面を押圧するべく前記鏡筒本体に結合される環状キャップを含む、
ことを特徴とするレンズ鏡筒。
【請求項２】
前記鏡筒本体は、光軸方向前方の外周面に形成された雄ネジを有し、
前記環状キャップは、前記雄ネジと螺合する雌ネジを有する、
ことを特徴とする請求項１記載のレンズ鏡筒。
【請求項３】
前記第１レンズは、前記第２内周面に嵌入される嵌入外周面を有し、
前記環状キャップは、前記嵌入外周面よりも径方向内側において、前記第１レンズの前面を押圧する環状内縁部を有する、
ことを特徴とする請求項１又は２に記載のレンズ鏡筒。
【請求項４】
前記第１レンズは、前記第２内周面に嵌入される嵌入外周面及び前記前端面に対向するように径方向に拡張する拡張部を有し、
前記環状キャップは、前記嵌入外周面よりも径方向外側の拡張部において、第１レンズの前面を押圧する環状内縁部を有する、
ことを特徴とする請求項１又は２に記載のレンズ鏡筒。
【請求項５】
前記鏡筒本体は、物体側に凸面を向けたメニスカス形状の前記第１レンズと、前記第１内周面において物体側から像面側に向けて順に配列された、所定の口径をなす開口絞りと、物体側及び像面側に凸面を向けた両凸形状の第２レンズと、物体側及び像面側に凸面を向けた両凸形状の第３レンズと、物体側に凹面を向けると共に前記第３レンズに接合されたメニスカス形状の第４レンズと、を含む、
ことを特徴とする請求項１ないし４いずれかに記載のレンズ鏡筒。
【請求項６】
前記第１レンズ及び第２レンズの間には、光軸方向の間隔を規定すると共に前記開口絞りを画定する第１環状スペーサが配置され、
前記第２レンズ及び第３レンズ又は第４レンズの間には、光軸方向の間隔を規定する第２環状スペーサが配置されている、
ことを特徴とする請求項５記載のレンズ鏡筒。
【発明の詳細な説明】
【技術分野】
【０００１】
本発明は、広角レンズを保持するレンズ鏡筒に関し、特に、監視用カメラあるいは車載用カメラ等に用いられる種々の画角をもつ広角レンズを保持する際に共用できるレンズ鏡筒に関する。
【背景技術】
【０００２】
近年、監視用カメラや車載用カメラに用いられる広角レンズにおいては、高性能化を図りつつも、低コスト化、小型化（小径化、レンズ全長の短縮化）等が求められている。
一方、従来のレンズ鏡筒としては、低コスト化を図るべく、円筒状に形成された鏡筒本体の内側に環状の段差部を複数段に亘って階段状に設け、使用するレンズの外径に応じて対応する環状段差部を用いてレンズを保持し、その外側から鏡筒本体の内側に嵌め込まれるレンズ押えにより、レンズを固定するようにしたレンズ鏡筒（広角レンズ）が知られている。
このレンズ鏡筒においては、種々の画角をもつ広角レンズを保持するために１つの鏡筒本体を共用して、金型費用の削減等によるコストの低減を図るものである（例えば、特許文献１参照）。
【０００３】
しかしながら、このレンズ鏡筒においては、鏡筒本体の内側において種々のレンズに適合するように複数段に亘る環状段差部（レンズ座）を設けるため、鏡筒本体を光軸方向において予め長めに設定する必要があり、又、レンズ押えも鏡筒本体の内側に配置される構成であるため、鏡筒本体の長尺化、大径化を助長する傾向にあり、レンズ全長の短縮化、鏡筒本体の小径化、全体としての小型化を図るのが困難である。
【０００４】
【特許文献１】特開平１０−２２７９６０号公報
【発明の開示】
【発明が解決しようとする課題】
【０００５】
本発明は、上記従来技術の事情に鑑みて成されたものであり、その目的とするところは、広角レンズの高い光学性能を確保して、画角の異なる広角レンズを保持するための共用化及びそれに伴う低コスト化を図りつつ、光軸方向の短縮化、小径化、全体としての小型化を図れ、特に、監視用カメラ、車載用カメラ等に適用できるレンズ鏡筒を提供することにある。
【課題を解決するための手段】
【０００６】
本発明のレンズ鏡筒は、光軸方向において複数のレンズを保持する鏡筒本体、鏡筒本体に保持されたレンズを押えるレンズ押え部材と、を備えたレンズ鏡筒であって、上記鏡筒本体は、光軸方向に貫通する第１内周面と、第１内周面よりも大きい内径をなし光軸方向の前端面に開口する第２内周面とを含み、上記レンズ押え部材は、第２内周面よりも径方向内側又は第２内周面よりも径方向外側の領域において、第２内周面に少なくとも一部が嵌入された第１レンズの前面を押圧するべく鏡筒本体に結合される環状キャップを含む、ことを特徴としている。
この構成によれば、鏡筒本体の第１内周面に一つ以上の他のレンズを組み付けると共に、第１レンズが第２内周面から径方向に突出しない画角の小さい（例えば８５度程度の）ものである場合、第２内周面よりも径方向内側の領域において第１レンズの前面を環状キャップにより押圧することにより、第１レンズを鏡筒本体に組み付けることができ、一方、第１レンズが第２内周面から径方向外側に突出する部分をもつ画角の大きい（例えば１２０度程度の）ものである場合、第２内周面に一部を嵌入させると共に第２内周面よりも径方向外側の領域において第１レンズの前面を環状キャップにより押圧することにより、第１レンズを鏡筒本体に組み付けることができる。
すなわち、種々の広角レンズを保持する鏡筒本体として、一つの鏡筒本体を共用できるため、コストを低減することができる。また、外径（画角）の異なる第１レンズを組み込むために、鏡筒本体の内側にのみ第１レンズを配置するのではなく、鏡筒本体の前端面も第１レンズの配置スペースとして利用するため、鏡筒本体の光軸方向における短縮化、小径化、すなわちレンズ鏡筒の小型化を達成することができる。
【０００７】
上記構成において、鏡筒本体は、光軸方向前方の外周面に形成された雄ネジを有し、環状キャップは、雄ネジと螺合する雌ネジを有する、構成を採用することができる。
この構成によれば、環状キャップは、鏡筒本体に対して螺合により結合されるため、第１レンズの組み付け及び固定あるいは分解作業を容易に行うことができる。
【０００８】
上記構成において、第１レンズは、第２内周面に嵌入される嵌入外周面を有し、環状キャップは、嵌入外周面よりも径方向内側において、第１レンズの前面を押圧する環状内縁部を有する、構成を採用することができる。
この構成によれば、第１レンズの嵌入外周面の少なくとも一部が鏡筒本体の第２内周面に嵌入された状態で、第１レンズは、嵌入外周面よりも径方向内側に位置するその前面が環状キャップの環状内縁部により押圧されて、鏡筒本体に保持されて固定される。したがって、共用される鏡筒本体に対して、画角が比較的小さい広角レンズを組み付けることができる。
【０００９】
上記構成において、第１レンズは、第２内周面に嵌入される嵌入外周面及び前端面に対向するように径方向に拡張する拡張部を有し、環状キャップは、嵌入外周面よりも径方向外側の拡張部において、第１レンズの前面を押圧する環状内縁部を有する、構成を採用することができる。
この構成によれば、第１レンズの嵌入外周面の少なくとも一部が鏡筒本体の第２内周面に嵌入されかつ拡張部が鏡筒本体の前端面に対向した状態で、第１レンズは、嵌入外周面よりも径方向外側の拡張部におけるその前面が環状キャップの環状内縁部により押圧されて、鏡筒本体に保持されて固定される。したがって、共用される鏡筒本体に対して、画角が比較的大きい広角レンズを組み付けることができる。
【００１０】
上記構成において、鏡筒本体は、物体側に凸面を向けたメニスカス形状の上記第１レンズと、第１内周面において物体側から像面側に向けて順に配列された、所定の口径をなす開口絞りと、物体側及び像面側に凸面を向けた両凸形状の第２レンズと、物体側及び像面側に凸面を向けた両凸形状の第３レンズと、物体側に凹面を向けると共に第３レンズに接合されたメニスカス形状の第４レンズと、を含む、構成を採用することができる。
この構成によれば、第１レンズ、開口絞り、第２レンズ、第３レンズ、及び第４レンズを含む画角の異なる種々の広角レンズを、共通の鏡筒本体に保持及び固定できるため、低コスト化、小型化、高性能化を達成しつつ、監視用カメラ、車載用カメラに適したレンズ鏡筒を得ることができる。
【００１１】
上記構成において、第１レンズ及び第２レンズの間には、光軸方向の間隔を規定すると共に開口絞りを画定する第１環状スペーサが配置され、第２レンズ及び第３レンズ又は第４レンズの間には、光軸方向の間隔を規定する第２環状スペーサが配置されている、構成を採用することができる。
この構成によれば、鏡筒本体に対して第１レンズ〜開口絞り〜第４レンズを組み付ける際に、第１環状スペーサと第２環状スペーサを嵌入させるだけで、光軸方向におけるレンズ同士の間隔及び開口絞りの位置を高精度に位置決めしつつ容易に組み付けることができるため、組み付け作業の容易化、製造コストの低減等を達成することができる。
【発明の効果】
【００１２】
上記構成をなすレンズ鏡筒レンズによれば、高い光学性能を確保しつつ、画角の異なる広角レンズを保持するための鏡筒本体の共用化及びそれに伴う低コスト化を達成でき、又、光軸方向の短縮化、小径化、全体としての小型化を達成できるため、特に、監視用カメラ、車載用カメラ等に好適なレンズ鏡筒を得ることができる。
【発明を実施するための最良の形態】
【００１３】
以下、本発明の最良の実施形態について、添付図面を参照しつつ説明する。
図１及び図２は、本発明に係るレンズ鏡筒の一実施形態を示す分解断面図、図３ないし図６は、具体的な構造及び数値による実施例を示すレンズ鏡筒の断面図，広角レンズの構成図，光路図，及び収差図、図７ないし図１０は、具体的な構造及び数値による他の実施例を示すレンズ鏡筒の断面図，広角レンズの構成図，光路図，及び収差図である。
【００１４】
このレンズ鏡筒は、図１及び図２に示すように、光軸方向Ｌに貫通する円筒状の鏡筒本体１０、鏡筒本体１０の前方に結合されるレンズ押さ部材としての環状キャップ２０，２０´、鏡筒本体１０の光軸方向Ｌ前方に配置されて環状キャップ２０により押圧されて固定される第１レンズ３０，３０´、第１レンズ３０，３０´の後方において鏡筒本体１０内に配置されるその他レンズ及びスペーサ等を含むレンズ群Ｇを備えている。そして、鏡筒本体１０（レンズ群Ｇ）の後方には、図３及び図７に示すように、ＣＣＤ等の撮像素子の結像面Ｐが配置されるようになっている。
【００１５】
鏡筒本体１０は、樹脂材料により形成されており、図１及び図２に示すように、光軸方向Ｌに貫通する第１内周面１１、第１内周面１１よりも光軸方向Ｌの前方に位置しかつ大きい内径をなす第２内周面１２、第２内周面１２と第１内周面１１の間に形成される環状端面１３、第２内周面１２が開口する前端面１４、第１内周面１１の後端において縮径されて開口部１５ａを画定する環状端面１５、光軸方向Ｌの前方に位置する外周面に形成された雄ネジ１６等を備えている。
【００１６】
第１内周面１１は、第１レンズ３０，３０´以外のレンズ又はレンズ同士の間隔を規定する環状スペーサを嵌入して保持するようになっている。
第２内周面１２は、第１レンズ３０，３０´の後述する嵌入外周面３２，３２´の少なくとも一部を嵌入させて光軸方向Ｌに垂直な方向の位置決めを行うようになっている。
前端面１４は、第１レンズ３０´の後述する拡張部３３を対向させる、すなわち、第１レンズ３０´の一部を配置するスペースを画定するようになっている。
環状端面１５は、レンズ群Ｇの光軸方向Ｌにおける後端位置を規定するようになっている。
雄ネジ１６は、環状キャップ２０，２０´の後述する雌ネジ２３を螺合させるように形成されている。
尚、環状端面１３は、第１レンズ３０，３０´の後述する後端面３１，３１´と非接触となるように形成されている。
【００１７】
環状キャップ２０は、樹脂材料により形成されており、図１に示すように、円形の開口部２１ａを画定する環状内縁部２１、鏡筒本体１０に対向する側に形成された環状凹部２２、環状凹部２２の内周面に形成され鏡筒本体１０の雄ネジ１６に螺合される雌ネジ２３等を備えている。環状内縁部２１は、光軸方向Ｌに垂直な径方向において、第２内周面１２よりも内側に位置するように形成されている。
【００１８】
第１レンズ３０は、図１に示すように、物体側に凸面を向ける前面Ｓ１、像面側に凹面を向ける後面Ｓ２、後方に配置されるレンズ群Ｇに当接される後端面３１、鏡筒本体１０の第２内周面１２に嵌入される嵌入外周面３２等を備えた、メニスカス形状の負レンズである。第１レンズ３０は、第２内周面３２よりも径方向の内側において、被写体光が入射してくる画角をもつようになっている。
【００１９】
すなわち、第１レンズ３０の組み付けに際しては、図１に示すように、鏡筒本体１０の第１内周面１１にレンズ群Ｇが配置された状態で、後端面３１がレンズ群Ｇの前面に当接するまで、嵌入外周面３２を第２内周面１２に嵌入し、その前方から環状キャップ２０を鏡筒本体１０に近づけて雌ネジ２３を雄ネジ１６に螺合して捩じ込むことにより、第１レンズ３０の（嵌入外周面３２よりも径方向内側の）前面Ｓ１が環状内縁部２１により押圧されて、光軸方向Ｌの所定位置に位置決めされると共に固定（保持）されるようになっている。ここでは、環状キャップ２０は、鏡筒本体１０に対して螺合により結合されるため、第１レンズ３０の組み付け及び固定あるいは分解作業を容易に行うことができる。
【００２０】
環状キャップ２０´は、樹脂材料により形成されており、図２に示すように、円形の開口部２１ａ´を画定する環状内縁部２１´、鏡筒本体１０に対向する側に形成された環状凹部２２´、環状凹部２２´の内周面に形成され鏡筒本体１０の雄ネジ１６に螺合される雌ネジ２３等を備えている。環状内縁部２１´は、光軸方向Ｌに垂直な径方向において、第２内周面１２よりも外側に位置する、すなわち、前端面１４に対向するように形成されている。
【００２１】
第１レンズ３０´は、図２に示すように、物体側に凸面を向ける前面Ｓ１、像面側に凹面を向ける後面Ｓ２、後方に配置されるレンズ群Ｇに当接される後端面３１´、鏡筒本体１０の第２内周面１２に嵌入される嵌入外周面３２´、鏡筒本体１０の前端面１４に対向するように嵌入外周面３２´よりも径方向外側に拡張する拡張部３３´等を備えた、メニスカス形状の負レンズである。第１レンズ３０´は、第２内周面３２よりも径方向の外側において、被写体光が入射してくる画角（第１レンズ３０の画角よりも大きい画角）をもつようになっている。
【００２２】
すなわち、第１レンズ３０´は、図２に示すように、鏡筒本体１０の第１内周面１１にレンズ群Ｇが配置された状態で、後端面３１´がレンズ群Ｇの前面に当接するまで、嵌入外周面３２´を第２内周面１２に嵌入し、その前方から環状キャップ２０´を鏡筒本体１０に近づけて雌ネジ２３を雄ネジ１６に螺合して捩じ込むことにより、第１レンズ３０´の（嵌入外周面３２´よりも径方向外側の拡張部３３´の）前面Ｓ１が環状内縁部２１´により押圧されて、光軸方向Ｌの所定位置に位置決めされると共に固定（保持）されるようになっている。ここでは、環状キャップ２０´は、鏡筒本体１０に対して螺合により結合されるため、第１レンズ３０´の組み付け及び固定あるいは分解作業を容易に行うことができる。
【００２３】
上記のように、画角の異なる種々の第１レンズ３０，３０´を保持するべく一つの鏡筒本体１０を共用できるため、コストを低減することができる。
また、外径（画角）の異なる第１レンズ３０，３０´を組み込むために、鏡筒本体１０の第２内周面１２と前端面１４を第１レンズ３０，３０´の配置スペースとして利用するため、鏡筒本体１０の光軸方向Ｌにおける短縮化、小径化、すなわちレンズ鏡筒の小型化を達成することができる。
また、環状キャップ２０，２０´も含めて、異なる広角レンズ（第１レンズ３０及びレンズ群Ｇ、又は、第１レンズ３０´及びレンズ群Ｇ）を保持する種々のレンズ鏡筒を、光軸方向Ｌにおいて同一の長さに設定することもでき、それ故に、これらのレンズ鏡筒を取り付ける部分あるいは空間を共通にすることができる。
【００２４】
次に、上記構成をなすレンズ鏡筒の具体的な構造及び数値による実施例を実施例１及び実施例２として以下に説明する。
【実施例１】
【００２５】
図３は実施例１に係るレンズ鏡筒の断面図、図４及び図５は実施例１に係る広角レンズの構成図及び光路図、図６は収差図である。
このレンズ鏡筒は、図３ないし図５に示すように、鏡筒本体１０、環状キャップ２０、第１レンズ３０、第２レンズ４０、第３レンズ５０、第４レンズ６０、第１環状スペーサ７０、第２環状スペーサ８０等を備えている。
【００２６】
第１環状スペーサ７０は、樹脂材料等により形成されており、図３に示すように、所定の口径をなす開口絞りＳＤを画定すると共に、鏡筒本体１０の第１内周面１１に嵌入されかつ第１レンズ３０と第２レンズ４０の間に介在させられて光軸方向Ｌの間隔を規定するものである。
第２環状スペーサ８０は、樹脂材料等により形成されており、図３に示すように、鏡筒本体１０の第１内周面１１に嵌入されかつ第２レンズ４０と第４レンズ６０の間に介在させられて光軸方向Ｌの間隔を規定するものである。
【００２７】
ここで、レンズ鏡筒に組み込まれる広角レンズは、図３ないし図５に示すように、物体側から像面側に向けて順に配列された、負の屈折率を有する第１レンズ３０、所定の口径を有する開口絞りＳＤ、正の屈折率を有する第２レンズ４０、正の屈折率を有する第３レンズ５０、第３レンズ５０に接合されると共に負の屈折力を有する第４レンズ６０を備えた４枚のレンズ構成となっている。そして、第４レンズ６０の後方において、ＣＣＤ等の撮像素子の結像面Ｐが配置されるようになっている。
【００２８】
尚、第１レンズ３０、開口絞りＳＤ、第２レンズ４０〜第４レンズ６０においては、図４に示すように、各々の面をＳｉ（ｉ＝１〜８）、各々の面Ｓｉの曲率半径をＲｉ（ｉ＝１〜８）、ｄ線に対する第１レンズ３０〜第４レンズ６０の屈折率をＮｉ（ｉ＝１〜４）及びアッベ数をνｉ（ｉ＝１〜４）で表す。
また、第１レンズ３０から第４レンズ６０までの光軸Ｌ上における距離（厚さ、空気間隔）をＤｉ（ｉ＝１〜７）、第４レンズ６０の後面Ｓ８から像面Ｐまでの空気換算距離すなわちバックフォーカスをＢＦで表す。
【００２９】
第１レンズ３０は、ガラス材料により形成されて、物体側に凸面Ｓ１及び像面側に凹面Ｓ２を向けたメニスカス形状の負レンズである。ここで、凸面Ｓ１及び凹面Ｓ２は、共に球面に形成されている。
第２レンズ４０は、ガラス材料により形成されて、物体側に凸面Ｓ４及び像面側に凸面Ｓ５を向けた両凸形状の正レンズである。ここで、凸面Ｓ４及び凸面Ｓ５は、共に球面に形成されている。
第３レンズ５０は、ガラス材料により形成されて、物体側に凸面Ｓ６及び像面側に凸面Ｓ７を向けた両凸形状の正レンズである。ここで、凸面Ｓ６及び凸面Ｓ７は、共に球面に形成されている。
第４レンズ６０は、ガラス材料により形成されて、物体側に凹面Ｓ７及び像面側に凸面Ｓ８を向けたメニスカス形状の負レンズである。そして、第４レンズ６０の物体側の凹面Ｓ７が第３レンズ５０の像面側の凸面Ｓ７に接合されている。ここで、凹面Ｓ７及び凸面Ｓ８は、共に球面に形成されている。
【００３０】
また、実施例１における主な仕様緒元、種々の数値データ（設定値）は以下の通りであり、球面収差、非点収差、歪曲収差は図６に示すような結果となる。尚、図６中の非点収差において、Ｓはサジタル平面での収差、Ｍはメリジオナル平面での収差を示す。
【００３１】
＜仕様緒元＞
使用波長＝５４６ｎｍ、焦点距離＝３．２１ｍｍ、撮像範囲＝φ４．６ｍｍ、開口絞りＳＤの口径＝φ２．７ｍｍ、明るさ（Ｆナンバー）＝２．０、画角（２ω）＝８５°、共役長（物体〜像面）＝∞、レンズ全長（第１レンズ〜第４レンズ）＝１３．１３ｍｍ、第１レンズ３０の外径寸法＝φ９ｍｍ、第２レンズ４０の外径寸法＝φ４ｍｍ、第３レンズ５０の外径寸法＝φ５ｍｍ、第４レンズ６０の外径寸法＝φ５ｍｍ
【００３２】
＜第１レンズ３０〜第４レンズ６０の曲率半径Ｒｉ（ｍｍ）＞
Ｒ１＝１５．３７９ｍｍ、Ｒ２＝２．５００ｍｍ、Ｒ３＝∞、Ｒ４＝２８．０８２ｍｍ、Ｒ５＝−６．７１１ｍｍ、Ｒ６＝８．９６４ｍｍ、Ｒ７＝−３．２３２ｍｍ、Ｒ８＝−３０．２５０ｍｍ
【００３３】
＜面間隔（ｍｍ）＞
Ｄ１＝０．９０ｍｍ、Ｄ２＝４．２７ｍｍ、Ｄ３＝２．０６ｍｍ、Ｄ４＝１．５０ｍｍ、Ｄ５＝１．００ｍｍ、Ｄ６＝２．５０ｍｍ、Ｄ７＝０．９０ｍｍ、ＢＦ＝４．６７ｍｍ
＜第１レンズ３０〜第４レンズ６０の屈折率Ｎｉ（ｄ線）＞
Ｎ１＝１．４８７４９、Ｎ２＝１．７７２５０、Ｎ３＝１．７７２５０、Ｎ４＝１．８４６６６
＜第１レンズ３０〜第４レンズ６０のアッベ数νｉ＞
ν１＝７０．２、ν２＝４９．６、ν３＝４９．６、ν４＝２３．８
【００３４】
上記実施例１によれば、画角が８５度で、Ｆナンバーが２．０程度と明るく、レンズ全長が１３．１３ｍｍと短く、第１レンズ３０の外径がφ９ｍｍと小径で、諸収差が良好に補正された、小型で光学性能の高い広角レンズを備えたレンズ鏡筒が得られた。
【実施例２】
【００３５】
図７は実施例２に係るレンズ鏡筒の断面図、図８及び図９は実施例２に係る広角レンズの構成図及び光路図、図１０は収差図である。
このレンズ鏡筒は、図７ないし図９に示すように、鏡筒本体１０、環状キャップ２０´、第１レンズ３０´、第２レンズ４０、第３レンズ５０´、第４レンズ６０´、第１環状スペーサ７０´、第２環状スペーサ８０´等を備えている。
【００３６】
第１環状スペーサ７０´及び第２環状スペーサ８０´は、前述の第１環状スペーサ７０及び第２環状スペーサ８０と基本的に同様の構成及び役割をなすものである。
ここで、レンズ鏡筒に組み込まれる広角レンズは、図７ないし図９に示すように、物体側から像面側に向けて順に配列された、負の屈折率を有する第１レンズ３０´、所定の口径を有する開口絞りＳＤ、正の屈折率を有する第２レンズ４０、正の屈折率を有する第３レンズ５０´、第３レンズ５０´に接合されると共に負の屈折力を有する第４レンズ６０´を備えた４枚のレンズ構成となっている。
尚、第１レンズ３０´は、外径がより大きい拡張部３３´を有しかつ曲率半径の寸法が異なる点を除いて第１レンズ３０と同一であり、第３レンズ５０´は、曲率半径の寸法が異なる点を除いて第３レンズ５０と同一であり、第４レンズ６０´は、曲率半径の寸法が異なる点を除いて第４レンズ６０と同一である。
【００３７】
また、実施例２における主な仕様緒元、種々の数値データ（設定値）は以下の通りであり、球面収差、非点収差、歪曲収差は図１０に示すような結果となる。尚、図１０中の非点収差において、Ｓはサジタル平面での収差、Ｍはメリジオナル平面での収差を示す。
【００３８】
＜仕様緒元＞
使用波長＝５４６ｎｍ、焦点距離＝２．５３ｍｍ、撮像範囲＝φ４．６ｍｍ、開口絞りＳＤの口径＝φ２．４ｍｍ、明るさ（Ｆナンバー）＝２．０、共役長（物体〜像面）＝∞、レンズ全長（第１レンズ〜第４レンズ）＝１３．１３ｍｍ、第１レンズ３０´の外径寸法＝φ１２ｍｍ、第２レンズ４０の外径寸法＝φ４ｍｍ、第３レンズ５０´の外径寸法＝φ５ｍｍ、第４レンズ６０´の外径寸法＝φ５ｍｍ
【００３９】
＜第１レンズ３０´〜第４レンズ６０´の曲率半径Ｒｉ（ｍｍ）＞
Ｒ１＝５０．０１５ｍｍ、Ｒ２＝２．５００ｍｍ、Ｒ３＝∞、Ｒ４＝２８．０８２ｍｍ、Ｒ５＝−６．７１１ｍｍ、Ｒ６＝８．０８２ｍｍ、Ｒ７＝−２．９０４ｍｍ、Ｒ８＝−１７．８９０ｍｍ
【００４０】
＜面間隔（ｍｍ）＞
Ｄ１＝０．９０ｍｍ、Ｄ２＝４．７０ｍｍ、Ｄ３＝１．９０ｍｍ、Ｄ４＝１．５０ｍｍ、Ｄ５＝０．７０ｍｍ、Ｄ６＝２．５０ｍｍ、Ｄ７＝０．９０ｍｍ、ＢＦ＝４．００ｍｍ
＜第１レンズ３０´〜第４レンズ６０´の屈折率Ｎｉ（ｄ線）＞
Ｎ１＝１．４８７４９、Ｎ２＝１．７７２５０、Ｎ３＝１．７７２５０、Ｎ４＝１．８４６６６
＜第１レンズ３０´〜第４レンズ６０´のアッベ数νｉ＞
ν１＝７０．２、ν２＝４９．６、ν３＝４９．６、ν４＝２３．８
【００４１】
上記実施例２によれば、画角が１２０度で、Ｆナンバーが２．０程度と明るく、レンズ全長が１３．１３ｍｍと短く、第１レンズ３０´の外径がφ    ｍｍと小径で、諸収差が良好に補正された、小型で光学性能の高い広角レンズを備えたレンズ鏡筒が得られた。
【００４２】
上記実施形態においては、第１レンズとして２種類のレンズ３０，３０´を示したが、これに限定されるものではなく、前端面１４に対向する位置に張り出す拡張部３３´の厚さ及び曲率半径等を適宜変更することにより、同一の鏡筒本体１０に対して、その他の画角が得られる広角レンズを組み込むことができる。
【産業上の利用可能性】
【００４３】
以上述べたように、本発明のレンズ鏡筒は、画角の異なる種々の広角レンズを保持できるため、コストを低減でき、又、レンズ系の小径化及びレンズ全長の短縮化、全体としての小型化を達成できるため、監視用カメラあるいは車載用カメラのレンズ鏡筒として適用できるのは勿論のこと、その他の認識あるいは撮像を行うレンズ光学系、あるいは、小型化が要求されかつ温度変化の激しい環境下で使用されるレンズ光学系においても有用である。
【図面の簡単な説明】
【００４４】
【図１】本発明に係るレンズ鏡筒の一実施形態を示す分解断面図である。
【図２】本発明に係るレンズ鏡筒の一実施形態を示す分解断面図である。
【図３】本発明に係るレンズ鏡筒の実施例を示すレンズ鏡筒の断面図である。
【図４】図３に示すレンズ鏡筒に含まれる広角レンズの構成図である
【図５】図４に示す広角レンズの光路図である
【図６】図４に示す広角レンズにおける球面収差、非点収差、歪曲収差を示す収差図である。
【図７】本発明に係るレンズ鏡筒の他の実施例を示すレンズ鏡筒の断面図である。
【図８】図７に示すレンズ鏡筒に含まれる広角レンズの構成図である
【図９】図８に示す広角レンズの光路図である
【図１０】図８に示す広角レンズにおける球面収差、非点収差、歪曲収差を示す収差図である。
【符号の説明】
【００４５】
１０  鏡筒本体
１１  第１内周面
１２  第２内周面
１３  環状端面
１４  前端面
１５  環状端面
１６  雄ネジ
２０，２０´  環状キャップ（レンズ押え部材）
２１，２１´  環状内縁部
２２，２２´  環状凹部
２３  雌ネジ
３０，３０´  第１レンズ
３１，３１´  後端面
３２，３２´  嵌入外周面
３３´  拡張部
４０  第２レンズ
５０，５０´  第３レンズ
６０，６０´  第４レンズ
７０，７０´  第１環状スペーサ
８０，８０´  第２環状スペーサ
Ｌ  光軸方向
【図１】
2007279557.tif 000003
【図２】
2007279557.tif 000004
【図３】
2007279557.tif 000005
【図４】
2007279557.tif 000006
【図５】
2007279557.tif 000007
【図６】
2007279557.tif 000008
【図７】
2007279557.tif 000009
【図８】
2007279557.tif 000010
【図９】
2007279557.tif 000011
【図１０】
2007279557.tif 000012